(57)【要約】【課題】包装作業の省力化を図ると共に、商品展示時にトレーからカバー体を簡単に除去できるようにする。【解決手段】トレー１とカバー体２とから成り、端壁３，１１及び側壁４，１２を対応させて、トレー１の内側にカバー体２を嵌め込み、カバー体２の端壁１１及び側壁１２の上端にそれぞれ連設した内蓋板１４及び外蓋板１５を順次折り重ねる２ピース包装箱において、トレー１の端壁３に、端壁３の上端へ至る切目線９に挟まれた切取片１０を形成し、外蓋板１５から切取片１０へかけてテープＴを貼り付けることにより、封緘すると共に、トレー１とカバー体２とを固定する。切目線９により切取片１０を切り取るだけで、トレー１とカバー体２とを分離できる。【選択図】図４
2012240717.tif 000002
【特許請求の範囲】
【請求項１】
トレー(1)とカバー体(2)とから成り、端壁(3,11)及び側壁(4,12)を対応させて、トレー(1)の内側にカバー体(2)を嵌め込み、カバー体(2)の端壁(11)及び側壁(12)の上端にそれぞれ連設した内蓋板(14)及び外蓋板(15)を順次折り重ねる２ピース包装箱において、トレー(1)の端壁(3)に、端壁(3)の上端へ至る切目線(9)に挟まれた切取片(10)を形成し、外蓋板(15)から切取片(10)へかけてテープ(T)を貼り付けることにより、封緘すると共に、トレー(1)とカバー体(2)とを固定するようにしたことを特徴とする２ピース包装箱。
【発明の詳細な説明】
【技術分野】
【０００１】
この発明は、トレーとカバー体とから成り、その固定を解除してトレーからカバー体を除去できるようにした２ピース包装箱に関するものである。
【背景技術】
【０００２】
従来、この種の２ピース包装箱として、下記特許文献１には、図８に示すようなものが記載されている。この包装箱は、トレー５１とカバー体５２とから成り、端壁５３，５５及び側壁５４，５６を対応させ、トレー５１の内側にカバー体５２を嵌め込んで固定し、端壁５５及び側壁５６の上端にそれぞれ連設した内蓋板５７及び外蓋板５８を順次折り重ねて封緘するものである。
【０００３】
この包装箱において、トレー５１とカバー体５２とを固定する際には、側壁５４に切目線を入れて形成した貼着片５９と側壁５６とを接着剤で貼り合わせると共に、端壁５３と端壁５５の下部とを接着剤で貼り合わせ、封緘に際しては、内蓋板５７と外蓋板５８とを接着剤で貼り合わせる。また、手作業で封緘する場合には、外蓋板５８の先端の突合部から端壁５５にかけてテープを貼り付ける。
【０００４】
一方、この包装箱に収納した商品を店頭で展示する際には、トレー５１からカバー体５２を除去するため、端壁５５を、その両側及び上部に入れた門型の切目線に沿って切断すると共に、貼着片５９を、切目線に沿って側壁５４から切り離す。これにより、図９に示すように、カバー体５２を、側壁５６に貼着片５９が貼り付いた状態で除去できる。
【先行技術文献】
【特許文献】
【０００５】
【特許文献１】特許第４４５４１５８号公報（図１，２）
【発明の概要】
【発明が解決しようとする課題】
【０００６】
しかしながら、このような２ピース包装箱では、商品の包装に際し、トレー５１とカバー体５２とを貼着片５９での貼り付けにより固定する工程に加えて、内蓋板５７と外蓋板５８とを接着剤又はテープで固定して封緘する工程が必要となり、作業に手間がかかるという問題がある。
【０００７】
また、トレー５１からカバー体５２を除去する際、端壁５５を切断した後、側壁５６を押し込むように撓ませつつ、側壁５６に貼り付いた貼着片５９を切目線に沿って側壁５４から切り離さなければならず、この作業に大きな力を要するという問題がある。
【０００８】
そこで、この発明は、包装作業の省力化を図ると共に、商品展示時にトレーからカバー体を簡単に除去できるようにすることを課題とする。
【課題を解決するための手段】
【０００９】
上記課題を解決するため、この発明は、トレーとカバー体とから成り、端壁及び側壁を対応させて、トレーの内側にカバー体を嵌め込み、カバー体の端壁及び側壁の上端にそれぞれ連設した内蓋板及び外蓋板を順次折り重ねる２ピース包装箱において、トレーの端壁に、端壁の上端へ至る切目線に挟まれた切取片を形成し、外蓋板から切取片へかけてテープを貼り付けることにより、封緘すると共に、トレーとカバー体とを固定するようにしたのである。
【発明の効果】
【００１０】
この発明に係る２ピース包装箱では、外蓋板から切取片にかけてテープを貼り付けることにより、封緘すると同時にトレーとカバー体とを固定できるので、包装作業の省力化を図ることができる。
【００１１】
また、切取片を切目線に沿って端壁から切り取るだけで、大きな力を要することなく、トレーとカバー体とを分離して、トレーからカバー体を除去することができる。
【図面の簡単な説明】
【００１２】
【図１】この発明に係る２ピース包装箱のトレーとカバー体のブランクを示す図
【図２】同上の２ピース包装箱の組立過程を示す分解斜視図
【図３】同上の組立時の開蓋状態を示す斜視図
【図４】同上の封緘状態を示す斜視図
【図５】同上の切裂帯による端壁の切断過程を示す斜視図
【図６】同上のトレーとカバー体の分離状態を示す斜視図
【図７】同上のトレーによる展示状態を示す斜視図
【図８】従来の２ピース包装箱の封緘状態を示す斜視図
【図９】同上の除去したカバー体を示す斜視図
【発明を実施するための形態】
【００１３】
以下、この発明の実施形態を添付図面に基づいて説明する。
【００１４】
図１に示すように、この２ピース包装箱は、段ボールシートを打ち抜いたトレー１とカバー体２のブランクから形成される。
【００１５】
トレー１のブランクでは、各一対の端壁３及び側壁４が交互に連設され、一方の端壁３の外側端に継代片５が連設されている。端壁３及び側壁４の下端には、内底板６及び外底板７がそれぞれ連設されている。
【００１６】
端壁３には、横方向に延びる２本のジッパ型切目線の間に切裂帯８が設けられ、その両端に臨む部分から端壁３の上端へ至る２本のジッパ型切目線９に挟まれた切取片１０が形成されている。また、切裂帯８の引っ張りに際し始端側となる端部に臨む部分には、指入穴８ａが設けられている。
【００１７】
カバー体２のブランクでは、各一対の端壁１１及び側壁１２が交互に連設され、一方の側壁１２の外側端に継代片１３が連設されている。端壁１１及び側壁１２の上端には、内蓋板１４及び外蓋板１５がそれぞれ連設されている。
【００１８】
カバー体２の端壁１１及び側壁１２の横方向の寸法は、トレー１の端壁３及び側壁４の横方向の寸法よりも段ボール２枚分の厚さ程度小さくなっている。
【００１９】
このようなブランクから包装箱を組み立てて商品を包装するには、図２に示すように、トレー１のブランクにおいて、各一対の端壁３及び側壁４を角筒状に折り曲げ、継代片５を反対側の側壁４の外面に貼り付け、内底板６及び外底板７を順次折り重ね、外底板７の先端の突合部から端壁３の下部へかけてテープＴを貼り付ける。
【００２０】
また、カバー体２のブランクにおいて、各一対の端壁１１及び側壁１２を角筒状に折り曲げ、継代片１３を反対側の端壁１１の内面に貼り付ける。このとき、内蓋板１４及び外蓋板１５は、開けたままの状態としておく。
【００２１】
さらに、この包装箱に内挿する仕切１６を組み立てるため、長方形の段ボール板から成る１枚の仕切板１７と２枚の仕切板１８とを、そのスリットの相互差込により、直交するように噛み合わせる。
【００２２】
そして、稜部を介して隣り合う端壁３，１１及び側壁４，１２を対応させ、図３に示すように、トレー１の内側にカバー体２を嵌め込み、カバー体２の上端の開口から仕切１６を箱内に挿入する。
【００２３】
その後、仕切１６により区画された収納空間に商品を収納し、図４に示すように、内蓋板１４及び外蓋板１５を順次折り重ね、外蓋板１５の先端の突合部から切取片１０へかけてテープＴを貼り付けると、内蓋板１４及び外蓋板１５が閉じた状態に固定されて、封緘が完了すると同時に、トレー１とカバー体２とが分離しないように固定される。
【００２４】
一方、この包装箱に収納した商品を店頭で展示する際には、指入穴８ａに指を入れて、切裂帯８の始端部を摘み、図５に示すように、切裂帯８を引っ張って、端壁３を横方向に切断する。
【００２５】
次に、切裂帯８による切断に伴い端壁３に形成された隙間に手を入れて、図６に示すように、切取片１０を下部から手前に捲り上げ、切目線９の繋部を破断させて、切取片１０を端壁３から切目線９に沿って切り取る。
【００２６】
これにより、トレー１とカバー体２とを分離して、トレー１からカバー体２を除去することができるので、図７に示すように、天面から両端面の一部へかけて開口したトレー１により、その内部に収納した商品を展示することができる。
【００２７】
上記のような２ピース包装箱では、外蓋板１５の先端の突合部から切取片１０に至るテープＴの貼付により、封緘すると同時にトレー１とカバー体２とを固定できるので、包装作業の省力化を図ることができる。
【００２８】
また、切裂帯８及び切目線９により、切取片１０を端壁３から切り取るだけで、大きな力を要することなく、トレー１とカバー体２とを分離して、トレー１からカバー体２を除去することができる。
【００２９】
なお、上記実施形態では、トレー１が溝切型段ボール箱の下半部であるものを例示したが、トレー１は、底面全体をなす底壁の各辺から端壁及び側壁を起立させ、端壁と側壁とを稜部で繋ぐ組立型のものとしてもよい。
【００３０】
また、カバー体２の外蓋板１５の先端の突合部から切取片１０へかけてテープＴを貼り付けるものを例示したが、外蓋板１５同士が重なり合う包装箱において、その外蓋板１５の重合部から切取片１０へかけてテープＴを貼り付けるようにしてもよい。
【００３１】
また、切裂帯８により端壁３を横方向に切断し、これにより形成された隙間に手を入れて、切取片１０を捲り上げるものを例示したが、切裂帯８を省略し、切目線９をＶ字状やＵ字状等、下窄まりとなるように入れ、切取片１０を、その下端部に設けた指入穴や押込部から捲り上げるようにしてもよい。
【００３２】
そのほか、トレー１及びカバー体２の外周が四角筒状をなす包装箱を例示したが、外周が六角筒状や八角筒状をなす包装箱においても、切取片を有する端壁が平行に対向するものであれば、同様の構成を適用することができる。
【符号の説明】
【００３３】
１  トレー
２  カバー体
３  端壁
４  側壁
５  継代片
６  内底板
７  外底板
８  切裂帯
８ａ  指入穴
９  切目線
１０  切取片
１１  端壁
１２  側壁
１３  継代片
１４  内蓋板
１５  外蓋板
１６  仕切
１７，１８  仕切板
Ｔ  テープ
【図１】
2012240717.tif 000003
【図２】
2012240717.tif 000004
【図３】
2012240717.tif 000005
【図４】
2012240717.tif 000006
【図５】
2012240717.tif 000007
【図６】
2012240717.tif 000008
【図７】
2012240717.tif 000009
【図８】
2012240717.tif 000010
【図９】
2012240717.tif 000011